(57)【要約】【課題】この発明の目的は、所望の位置に患者の身体の一部を載置する載置部材を所望の位置に位置させることができる手術台および手術台用アタッチメントを提供することにある。【解決手段】この発明の手術台は、施術に際して患者が載置される手術台本体と、この手術台本体に取付けられる取付部材２を有するアタッチメント１とを備えており、アタッチメント１が、患者の身体の一部が載置される載置部材９、および、該載置部材９と前記取付部材２とを連結するためのリンク部材５を備え、且つ、該リンク部材５が、前記取付部材２に第一枢支軸４を介して回動可能に連結されるとともに載置部材９に第二枢支軸８を介して回動可能に連結されており、しかも、該リンク部材５と前記取付部材２との回動角度および該リンク部材５と前記載置部材９との回動角度が、所望の角度で固定できるように設けられている。【選択図】図１
2007082807.tif 000002
【特許請求の範囲】
【請求項１】
施術に際して患者が載置される手術台本体と、この手術台本体に取付けられる取付部材（２）を有するアタッチメント（１）とを備えている手術台であって、前記アタッチメント（１）は、前記患者の身体の一部が載置される載置部材（９）、および、該載置部材（９）と前記取付部材（２）とを連結するためのリンク部材（５）を備えており、且つ、該リンク部材（５）は、前記取付部材（２）に第一枢支軸（３）を介して回動可能に連結されるとともに、前記載置部材（９）に第二枢支軸（８）を介して回動可能に連結されており、しかも、該リンク部材（５）と前記取付部材（２）との回動角度および該リンク部材（５）と前記載置部材（９）との回動角度が、所望の角度で固定できるように設けられていることを特徴とする手術台。
【請求項２】
前記リンク部材（５）と前記取付部材（２）との回動および固定を規制するとともに前記リンク部材（５）と前記載置部材（９）との回動および固定を規制する規制部材（１１）を備え、該規制部材（１１）は、前記リンク部材（５）と前記取付部材（２）とを回動状態とした際に前記リンク部材（５）と前記載置部材（９）との回動状態を得るとともに、前記リンク部材（５）と前記取付部材（２）とを固定状態とした際に前記リンク部材（５）と前記載置部材（９）との固定状態を得るように設けられていることを特徴とする請求項１の手術台。
【請求項３】
前記規制部材（１１）は、前記リンク部材（５）と前記取付部材（２）との回動および固定を規制すべく該リンク部材（５）または取付部材（２）に設けられた第一係止部（３）に係脱可能な第一係脱部材（１２）、前記リンク部材（５）と前記載置部材（９）との回動および固定を規制すべく該リンク部材（５）または載置部材（９）に設けられた第二係止部（６）に係脱可能な第二係脱部材（１３）、該第二係脱部材（１３）に一体的に設けられるとともに操作者が把持して操作可能な操作部（１４）、該操作部（１４）と第一係脱部材（１２）とを連結するとともに少なくとも前記第二枢支軸（８）付近に位置する部位が可撓性を有する連結部材（１６）、および、前記第一係脱部材（１２）と第一係止部（３）との係止状態が得られる方向に常時弾性付勢する弾性部材を備えることを特徴とする請求項２の手術台。
【請求項４】
施術に際して患者が載置される手術台本体に取付けられる取付部材（２）、前記患者の身体の一部が載置される載置部材（９）、および、該載置部材（９）と前記取付部材（２）とを連結するためのリンク部材（５）を備えており、且つ、該リンク部材（５）は、前記取付部材（２）に第一枢支軸（３）を介して回動可能に連結されるとともに、前記載置部材（９）に第二枢支軸（８）を介して回動可能に連結されており、しかも、該リンク部材（５）と前記取付部材（２）との回動角度および該リンク部材（５）と前記載置部材（９）との回動角度が、所望の角度で固定できるように設けられていることを特徴とする手術台用アタッチメント。
【請求項５】
前記リンク部材（５）と前記取付部材（２）との回動および固定を規制するとともに前記リンク部材（５）と前記載置部材（９）との回動および固定を規制する規制部材（１１）を備え、該規制部材（１１）は、前記リンク部材（５）と前記取付部材（２）とを回動状態とした際に前記リンク部材（５）と前記載置部材（９）との回動状態を得るとともに、前記リンク部材（５）と前記取付部材（２）とを固定状態とした際に前記リンク部材（５）と前記載置部材（９）との固定状態を得るように設けられていることを特徴とする請求項４の手術台用アタッチメント。
【請求項６】
前記規制部材（１１）は、前記リンク部材（５）と前記取付部材（２）との回動および固定を規制すべく該リンク部材（５）または取付部材（２）に設けられた第一係止部（３）に係脱可能な第一係脱部材（１２）、前記リンク部材（５）と前記載置部材（９）との回動および固定を規制すべく該リンク部材（５）または載置部材（９）に設けられた第二係止部（６）に係脱可能な第二係脱部材（１３）、該第二係脱部材（１３）に一体的に設けられるとともに操作者が把持して操作可能な操作部（１４）、該操作部（１４）と第一係脱部材（１２）とを連結するとともに少なくとも前記第二枢支軸（８）付近に位置する部位が可撓性を有する連結部材（１６）、および、前記第一係脱部材（１２）と第一係止部（３）との係止状態が得られる方向に常時弾性付勢する弾性部材を備えることを特徴とする請求項５の手術台用アタッチメント。
【発明の詳細な説明】
【技術分野】
【０００１】
本願発明は、手術台および手術台用アタッチメントに関するものである。
【背景技術】
【０００２】
この種、手術台としては、たとえば図３に示すように、手術台本体２１は、患者の頭部、胴体部、大腿部、脚部を好ましい姿勢にできるように各部材２１ａ，２１ｂ，…が互いに傾動角度等を調節できるように設けられている。また、この手術台本体２１に、患者の腕部が載置できる図４に示すようなアタッチメント２２を、着脱可能に取付けられるように設けられており、具体的には、手術台本体２１には、両側部に前記アタッチメント２２を取付けるためのレール部材２０が設けられている。また、前記アタッチメント２２は、該手術台本体２１のレール部材２０の所望箇所をクランプするクランプ部材２３と、患者の身体の一部を載置する載置部材２４とが、枢支軸２５を介して回動可能に連結されて構成されている。そして、前記アタッチメント２２の載置部材２４には、クランプ部材２３と載置部材２４との回動角度を所望の角度で固定するための規制部材２６がスライド可能に取付けられている。これにより、前記アタッチメント２２を、手術台本体２１に対して載置部材２４を回動させて、一定角度で固定することによって、所望位置に位置させた載置部材２４に患者の身体の一部を載置させることができる。
【０００３】
上記した手術台本体２１の患者の頭部、胴体部、大腿部、脚部を載置する各部材２１ａ，２１ｂ，…は、各部材の傾動角度を調節して固定するための調節レバー２７が設けられているが、この調節レバー２７の存在のため、前記アタッチメント２２の取付箇所に一定の制限が生ずる場合がある。
【発明の開示】
【発明が解決しようとする課題】
【０００４】
この発明は、上記従来の欠点を解決するためになされたものであって、その目的は、所望の位置に患者の身体の一部を載置する載置部材を所望の位置に位置させることができる手術台および手術台用アタッチメントを提供することにある。
【課題を解決するための手段】
【０００５】
そこで請求項１の手術台は、施術に際して患者が載置される手術台本体と、この手術台本体に取付けられる取付部材２を有するアタッチメント１とを備えている手術台であって、前記アタッチメント１は、前記患者の身体の一部が載置される載置部材９、および、該載置部材９と前記取付部材２とを連結するためのリンク部材５を備えており、且つ、該リンク部材５は、前記取付部材２に第一枢支軸４を介して回動可能に連結されるとともに、前記載置部材９に第二枢支軸８を介して回動可能に連結されており、しかも、該リンク部材５と前記取付部材２との回動角度および該リンク部材５と前記載置部材９との回動角度が、所望の角度で固定できるように設けられていることを特徴とする。
【０００６】
上記請求項１記載の手術台では、載置部材９とリンク部材５との回動角度およびリンク部材５と取付部材２との回動角度の二つの回動角度を所望に設定することによって、載置部材９を所望の位置に位置させることができる。
【０００７】
また、請求項２記載の手術台は、前記リンク部材５と前記取付部材２との回動および固定を規制するとともに前記リンク部材５と前記載置部材９との回動および固定を規制する規制部材１１を備え、該規制部材１１は、前記リンク部材５と前記取付部材２とを回動状態とした際に前記リンク部材５と前記載置部材９との回動状態を得るとともに、前記リンク部材５と前記取付部材２とを固定状態とした際に前記リンク部材５と前記載置部材９との固定状態を得るように設けられていることを特徴とする。
【０００８】
上記請求項２記載の手術台では、一つの規制手段の操作によって、載置部材９とリンク部材５との回動角度およびリンク部材５と取付部材２との回動角度の二つの回動角度を所望に設定・変更することができる。
【０００９】
また、請求項３記載の手術台は、前記規制部材１１が、前記リンク部材５と前記取付部材２との回動および固定を規制すべく該リンク部材５または取付部材２に設けられた第一係止部３に係脱可能な第一係脱部材１２、前記リンク部材５と前記載置部材９との回動および固定を規制すべく該リンク部材５または載置部材９に設けられた第二係止部６に係脱可能な第二係脱部材１３、該第二係脱部材１３に一体的に設けられるとともに操作者が把持して操作可能な操作部１４、該操作部１４と第一係脱部材１２とを連結するとともに少なくとも前記第二枢支軸８付近に位置する部位が可撓性を有する連結部材１６、および、前記第一係脱部材１２と第一係止部３との係止状態が得られる方向に常時弾性付勢する弾性部材１７を備えることを特徴とする。
【００１０】
上記請求項３記載の手術台では、操作部１４の操作によって、第二係脱部材１３が第二係止部６から離脱され、リンク部材５と載置部材９との回動を自由にするとともに、連結部材１６を介して連結された第一係脱部材１２も第一係止部３から離脱され、リンク部材５と取付部材２との回動も自由にすることができる。一方、この自由にした状態で載置部材９を所望位置に移動させた後に、前記操作部１４の操作を把持を解除すると、弾性部材１７によって第一係脱部材１２と第一係止部３との係止状態が得られ、リンク部材５と取付部材２との回動が規制されるとともに、前記第一係脱部材１２には連結部材１６を介して第二係脱部材１３が連結されているため、この第二係脱部材１３と第二係止部６との係止状態が得られ、リンク部材５と載置部材９との回動が規制されることになる。このように、一つの操作部１４の操作によって、二つの回動角度を所望に設定・変更することができる。また、載置部材９とリンク部材５との回動角度が変更されることにより操作部１４と第一係脱部材１２との直線距離が変更されても、前記連結部材１６は、少なくとも前記第二枢支軸８付近に位置する部位が可撓性を有するため、操作部１４と第一係脱部材１２とを連結している距離は略一定であり、該連結部材１６によって操作部１４と第一係脱部材１２との好適な連結状態を得ることができる。なお、該連結部材１６は、該操作部１４と第一係脱部材１２とを直接連結する方法のほか、他の部材を介して連結することも可能であり、たとえば、操作部１４と連結部材１６とを前記第二係脱部材１３を介して連結させることも可能である。
【００１１】
そこで請求項４の手術台用アタッチメントは、施術に際して患者が載置される手術台本体に取付けられる取付部材２、前記患者の身体の一部が載置される載置部材９、および、該載置部材９と前記取付部材２とを連結するためのリンク部材５を備えており、且つ、該リンク部材５は、前記取付部材２に第一枢支軸４を介して回動可能に連結されるとともに、前記載置部材９に第二枢支軸８を介して回動可能に連結されており、しかも、該リンク部材５と前記取付部材２との回動角度および該リンク部材５と前記載置部材９との回動角度が、所望の角度で固定できるように設けられていることを特徴とする。
【００１２】
上記請求項４記載の手術台用アタッチメントでは、取付部材２によって手術台本体に取付けられて用いられ、載置部材９とリンク部材５との回動角度およびリンク部材５と取付部材２との回動角度の二つの回動角度を所望に設定することによって、手術台本体に対して載置部材９を所望の位置に位置させることができる。
【００１３】
また、請求項５記載の手術台用アタッチメントは、リンク部材５と前記取付部材２との回動および固定を規制するとともに前記リンク部材５と前記載置部材９との回動および固定を規制する規制部材１１を備え、該規制部材１１は、前記リンク部材５と前記取付部材２とを回動状態とした際に前記リンク部材５と前記載置部材９との回動状態を得るとともに、前記リンク部材５と前記取付部材２とを固定状態とした際に前記リンク部材５と前記載置部材９との固定状態を得るように設けられていることを特徴とする。
【００１４】
上記請求項５記載の手術台用アタッチメントでは、一つの規制手段の操作によって、載置部材９とリンク部材５との回動角度およびリンク部材５と取付部材２との回動角度の二つの回動角度を所望に設定・変更することができる。
【００１５】
また、請求項６記載の手術台用アタッチメントは、前記規制部材１１が、前記リンク部材５と前記取付部材２との回動および固定を規制すべく該リンク部材５または取付部材２に設けられた第一係止部３に係脱可能な第一係脱部材１２、前記リンク部材５と前記載置部材９との回動および固定を規制すべく該リンク部材５または載置部材９に設けられた第二係止部６に係脱可能な第二係脱部材１３、該第二係脱部材１３に一体的に設けられるとともに操作者が把持して操作可能な操作部１４、該操作部１４と第一係脱部材１２とを連結するとともに少なくとも前記第二枢支軸８付近に位置する部位が可撓性を有する連結部材１６、および、前記第一係脱部材１２と第一係止部３との係止状態が得られる方向に常時弾性付勢する弾性部材１７を備えることを特徴とする。
【００１６】
上記請求項６記載の手術台用アタッチメントでは、操作部１４の操作によってリンク部材５と載置部材９との回動を自由にするとともにリンク部材５と取付部材２との回動も自由にすることができる。一方、この自由にした状態で載置部材９を所望位置に移動させた後に前記操作部１４の操作を把持を解除すると、リンク部材５と取付部材２との回動が規制されるとともにリンク部材５と載置部材９との回動が規制されることになる。このように、一つの操作部１４の操作によって、二つの回動角度を所望に設定・変更することができる。また、載置部材９とリンク部材５との回動角度が変更されることにより操作部１４と第一係脱部材１２との直線距離が変更されても、前記連結部材１６は、少なくとも前記第二枢支軸８付近に位置する部位が可撓性を有するため、操作部１４と第一係脱部材１２とを連結している距離は略一定であり、該連結部材１６によって操作部１４と第一係脱部材１２との好適な連結状態を得ることができる。なお、該連結部材１６は、他の部材を介して連結することも可能である。
【発明を実施するための最良の形態】
【００１７】
以下、本発明の実施の形態の手術台を、図面を参酌して詳細に説明する。なお、図１は、本実施形態の手術台に用いられるアタッチメントの全体の概略構成を表す一部断面を含む概略的側面断面図で、図２は、同部材における第一係止部および第二係止部の概略的平面図である。
【００１８】
本実施形態の手術台は、施術に際して患者が載置される手術台本体（図示省略）と、この手術台本体に取付けられるクランプ部材２を有するアタッチメント１とを備えている。なお、この手術台本体は、従来のものと同様に、患者の頭部、胴体部、大腿部、脚部を好ましい姿勢にできるように各部材（図示省略）が互いに傾動角度等を調節できるように設けられており、手術台本体の患者の頭部等を載置する各部材は、各部材の傾動角度を調節して固定するための調節レバー（図示省略）を備えている。さらに、この手術台本体の両側には、前記アタッチメント１のクランプ部材２にクランプされるレール部材２０が設けられている。
【００１９】
また、前記アタッチメント１は、前記レール部材２０をクランプするクランプ部２ａを有するクランプ部材２、患者の腕部等の身体の一部が載置される載置部材９、該載置部材９および前記クランプ部材２を連結するためのリンク部材５、および、該リンク部材５とクランプ部材２との回動・固定およびリンク部材５と載置部材９との回動・固定を規制する規制部材１１とを備えている。そして、前記リンク部材５は、クランプ部材２に第一枢支軸４を介して回動可能に連結されるとともに、前記載置部材９に第二枢支軸８を介して回動可能に連結されている。なお、本実施形態においては、第一枢支軸４は、第二枢支軸８と、その軸心が略同一方向（たとえばＺ軸方向）に沿って設けられており、前記クランプ部材２、リンク部材５、および、載置部材９は、略同一平面（ＸＹ平面）内で移動するように設けられている。
【００２０】
ここで、前記クランプ部材２には、前記クランプ部２ａの反対側において、ベアリング４ａを介して前記第一枢支軸４が回転自在に取付けられている。そして、この第一枢支軸４が前記リンク部材５に固定されている。
【００２１】
また、リンク部材５には、前記第一枢支軸４が固定された箇所の反対側において、前記第二枢支軸８が固定されている。そして、この第二枢支軸８には、ベアリング８ａを介して前記載置部材９が回転自在に取付けられている。
【００２２】
また、クランプ部材２には、前記第一枢支軸４の付近に、前記規制部材１１が係脱される第一係止部３が設けられている。該第一係止部３は、第一枢支軸４の回転中心を中心とした円弧上に配された複数の段部から構成されており、この第一係止部３は、後述する第一係脱部材１２に対向する部位に形成されている。
【００２３】
また、該リンク部材５には、前記第二枢支軸８の付近に、前記規制部材１１が係脱される第二係止部６が設けられている。該第二係止部６は、第二枢支軸８の回転中心を中心とした円弧上に配された複数の段部から構成されており、この第二係止部６は、後述する第二係脱部材１３に対向する部位に形成されている。なお、この第二係止部６を構成する段部は、第一枢支軸４および第二枢支軸８が固定されるリンク部材本体５ａの下部に固定された段部構成部材５ｂに形成されている。
【００２４】
また、前記規制部材１１は、前記第一係止部３に係脱すべくリンク部材５にスライド可能に取付けられた第一係脱部材１２、および、第二係止部６に係脱すべく載置部材９にスライド可能に取付けられた第二係脱部材１３を備えている。
【００２５】
ここで、第一係脱部材１２は、第一枢支軸４の回転中心に沿った直線方向にスライドするように設けられており、前記リンク部材５の下部には、前記第一枢支軸４と第二枢支軸８との間に、第一係脱部材１２をスライド可能に支持するためのスライド部７が設けられている。
【００２６】
また、第二係脱部材１３は、第二枢支軸８の回転中心に沿った直線方向にスライドするように設けられており、前記載置部材９の下部には、前記第二枢支軸８よりも外側に、第二係脱部材１３をスライド可能に支持するためのスライド部１０が設けられている。また、この載置部材９の下部のスライド部１０は、後述する操作部材１４もスライド可能に支持されるように設けられている。
【００２７】
また、前記規制部材１１は、一端に操作者が把持してスライド操作できる把持部１４ａを有するとともに第二係脱部材１３に連結枝１５を介して一体的に連結された操作部材１４、および、この操作部材１４と第一係脱部材１２とを連結する可撓性の連結部材１６を備えている。さらに、第二枢支軸８には、該第二枢支軸８の回転中心を通り直径方向に貫通する貫通孔８ｂが形成されており、前記連結部材１６は、該貫通孔８ｂに挿通されている。このため、載置部材９とリンク部材５との回動角度が第二枢支軸８において変化して、操作部材１４と第一係脱部材１２との直線的な間隔が変化しても、操作部材１４と第一係脱部材１２とを連結している距離を一定範囲内とすることができる。
【００２８】
さらに、前記規制部材１１は、第一係脱部材１２と第一係止部３との係止状態が得られる方向に常時弾性付勢するスプリング部材１７を備えている。このスプリング部材１７は、一端が前記第一枢支軸４に固定され、他端が第一係脱部材１２に固定されており、第一係脱部材１２が第一係止部３に係入される方向に常時弾性付勢するように設けられている。
【００２９】
上記実施形態の手術台にあっては、レール部材２０の所望箇所にクランプ部材２を介してアタッチメント１を取付けた後に、前記操作部材１４を外側方向にスライド操作することにより、第二係脱部材１３が第二係止部６から離脱するとともに、操作部材１４に連結部材１６を介して連結される第一係止部３材も第一係止部３から離脱することになる。そして、この離脱状態においては、クランプ部材２とリンク部材５とが第一枢支軸４を中心に回動自由となり、また、リンク部材５と載置部材９とが第二枢支軸８を中心に回動自由となり、このため、載置部材９を手術台本体に対して所望の位置に移動させることができる。
【００３０】
そして、載置部材９を所望の位置に移動させた後に、操作部材１４の把持を解除すると、第一係脱部材１２がスプリング部材１７の弾性力によって第一係止部３に係入されるとともに、第一係脱部材１２に連結部材１６および操作部材１４を介して連結される第二係脱部材１３も第二係止部６に係入することになる。このため、クランプ部材２とリンク部材５との回動が規制されるとともにリンク部材５と載置部材９との回動も規制されることになり、このため、載置部材９を手術台本体に対して所望の位置に固定させることができる。
【００３１】
以上にこの発明の具体的な実施の形態について説明したが、この発明は上記形態に限定されるものではなく、この発明の範囲内で種々変更して実施することができる。つまり、一つの操作部材１４のスライド操作によって、クランプ部材２とリンク部材５との回動、および、リンク部材５と載置部材９との回動の双方を一括で規制できるものについて説明したが、たとえば、クランプ部材２とリンク部材５との回動を操作するための操作部と、リンク部材５と載置部材９との回動を操作する操作部とを、個別に設けることも可能である。
【００３２】
また、上記実施形態は、可撓性を有する部材から前記連結部材１６を構成するものについて説明したが、たとえば、連結部材１６として、前記第二枢支軸８の貫通孔８ｂの部分だけ可撓性を有し、他の部分は可撓性を有さないものを採用することも可能である。
【００３３】
また、上記実施形態においては、第一係脱部材１２と操作部材１４とを連結部材１６によって直接連結するものについて説明したが、たとえば、操作部材１４に一体的に設けられた第二係脱部材１３と連結部材１６の一端を連結し、連結部材１６の他端を第一係脱部材１２に連結するように設けることも可能である。
【図面の簡単な説明】
【００３４】
【図１】本実施形態の手術台に用いられるアタッチメントの全体の概略構成を表す一部断面を含む概略的側面断面図である。
【図２】同部材における第一係止部および第二係止部の概略的平面図である。
【図３】従来例の手術台を説明するための概略的斜視図である。
【図４】同従来例の手術台に取付けられるアタッチメントの全体の概略構成を表す一部断面を含む概略的側面断面図である。
【符号の説明】
【００３５】
１    アタッチメント
２    クランプ部材（取付部材）
２ａ  クランプ部
３    第一係止部（段部）
４    第一枢支軸
４ａ  ベアリング
５    リンク部材
５ａ  リンク部材本体
５ｂ  段部構成部材
６    第二係止部（段部）
７    スライド部
８    第二枢支軸
８ａ  ベアリング
８ｂ  貫通孔
９    載置部材
１０    スライド部
１１    規制部材
１２    第一係脱部材
１３    第二係脱部材
１４    操作部材
１４ａ  把持部
１５    連結枝
１６    連結部材
１７    弾性部材（スプリング部材）
２０    レール部材
【図１】
2007082807.tif 000003
【図２】
2007082807.tif 000004
【図３】
2007082807.tif 000005
【図４】
2007082807.tif 000006